(57)【要約】  【課題】  磁気記録層を備えていない１３５フィルム等のリプリント情報の入力の手間を軽減できる写真処理装置を提供する。  【解決手段】  光源部からフィルムに照射された光線束を光電変換してフィルムに担持された画像を入力する画像データ入力手段と、フィルムに照射された赤外波長域の光線束を光電変換して赤外線データを検出する赤外線検出部と、赤外線検出部により検出された赤外線の強度分布に基づいてフィルムの欠陥情報を検出する欠陥情報検出手段と、欠陥情報検出手段により検出された欠陥情報に基づいて画像データ入力手段により入力された画像データを補正する欠陥画像補正手段を備え、欠陥情報検出手段に、フィルムに表記されたリプリント情報を検出するリプリント情報検出部を設け、リプリント情報を自動認識するとともに、欠陥画像を自動補正する。  【選択図】  図４
2005079775.tif 000002
【特許請求の範囲】
【請求項１】
光源部からフィルムに照射された光線束を光電変換して前記フィルムに担持された画像を入力する画像データ入力手段と、前記フィルムに照射された赤外波長域の光線束を光電変換して赤外線データを検出する赤外線検出部と、前記赤外線検出部により検出された赤外線の強度分布に基づいて前記フィルムの欠陥情報を検出する欠陥情報検出手段と、前記欠陥情報検出手段により検出された欠陥情報に基づいて前記画像データ入力手段により入力された画像データを補正する欠陥画像補正手段を備えてなる写真処理装置であって、
前記欠陥情報検出手段に、フィルムに表記されたリプリント情報を検出するリプリント情報検出部を設けてある写真処理装置。
【発明の詳細な説明】
【技術分野】
【０００１】
本発明は、光源部からフィルムに照射された光線束を光電変換して前記フィルムに担持された画像を入力する画像データ入力手段と、前記フィルムに照射された赤外波長域の光線束を光電変換して赤外線データを検出する赤外線検出部と、前記赤外線検出部により検出された赤外線の強度分布に基づいて前記フィルムの欠陥情報を検出する欠陥情報検出手段と、前記欠陥情報検出手段により検出された欠陥情報に基づいて前記画像データ入力手段により入力された画像データを補正する画像補正手段を備えてなる写真処理装置に関する。
【背景技術】
【０００２】
近年、フィルムに記録された画像データを光電的に読み取るスキャナ部と、スキャナ部で読み取られた画像データを所定のアルゴリズムに従って画像処理して出力用の画像データを生成する画像処理部を備えた画像入力装置と、画像入力装置からの画像データに基づいて印画紙を走査露光して画像を記録し、露光済みの印画紙を現像処理して写真プリントを出力する画像出力装置とから構成されるデジタル方式の写真処理装置が実用化されている。
【０００３】
上述した画像入力装置は、光源から出射された可視領域の読取光線束をフィルムに入射させ、フィルム上の画像を担持する投影光線束を結像レンズによってＣＣＤセンサ等のイメージセンサに結像して光電変換することにより画像を読み取り、読み取られた画像データに応じて設定された画像処理条件に基づいて画像処理を施した後の画像データを画像出力装置に送るものである。
【０００４】
そして、上述したデジタル方式の写真処理装置に適用可能なフィルム上の傷や付着塵等の欠陥を検出し、検出した傷や塵を画像処理により補正する画像処理方法及び装置として、フィルムに赤外線エネルギー及び可視光線エネルギーを当て、赤外線エネルギーを当てることにより生じる前記欠陥に対応する赤外線エネルギー分布をフィルム上の位置に対応付けて検出するとともに、可視光線エネルギー分布をフィルム上の位置に対応付けて検出して、フィルムから読み出した画像データに対する欠陥の影響を補償するために、フィルム上の各位置について、検出された赤外線エネルギー分布強度が所定の閾値より大きい場合、当該位置の可視光線エネルギー分布強度を当該位置の赤外線エネルギー分布強度を打ち消すレベルまで増強し、検出された赤外線エネルギー分布強度が所定の閾値以下の場合、当該位置の可視光線エネルギー分布強度を補間法により補正するものが提案されていた(特許文献１)。
【０００５】
一方、撮影済みフィルムの同時プリントでは、通常、ネガフィルムの１コマに対して１枚のプリント写真が作製され、必要に応じて焼増しプリントの依頼が行われる。写真焼付処理時には、一本分のコマ画像の平均透過濃度が測光され、その平均透過濃度から三色光の基本焼付露光量が算出されるが、算出された基本焼付露光量で適正な濃度とカラーバランスを持ったプリント写真に仕上げることが可能なものは全体の７割程度であり、残りはサブジェクトフェリアが発生して仕上がりが不適正となるため、そのようなコマに対しては、オペレータの経験により、イエロー、シアン、マゼンタ、濃度等の露光補正量を決定し、写真プリンタの入力部からキー入力して基本焼付露光量を修正している。
【０００６】
焼増しプリントでは、同時プリント時とオペレータが異なることが多く、また同じオペレータであっても露光補正量に多少の違いが生じる場合もあるので、同時プリントと同じ状態に仕上がることが少ないという問題のために、ネガフィルム収納シートや、プリント写真の裏面等に、リプリント情報としてコマ番号と露光補正データをコード化して印字しておき、焼増しプリント時にそのコードデータを写真プリンタの入力部からキー入力する技術や、ＡＰＳ（Ａｄｖａｎｃｅｄ  Ｐｈｏｔｏ  Ｓｙｓｔｅｍ）フィルムの場合に、磁気記録層に焼増し時のリプリント情報として注文情報を記録することにより、プリント焼増しの自動化を図る技術が提案されていた(特許文献２，３)。
【特許文献１】特許第２５５９９７０号公報
【特許文献２】特開平７−６４２１４号公報
【特許文献３】特開平８−８２８６２号公報
【発明の開示】
【発明が解決しようとする課題】
【０００７】
しかし、特許文献２に記載された技術によれば、焼増しプリント時に、ネガフィルム収納シートや、プリント写真の裏面等に印字されたコードデータを写真処理装置に備えたキーボードなどの入力部からキー入力し、且つ、プリント枚数を入力しなければならないという手間を要するものであり、上述した特許文献３に記載されたような磁気記録層を備えたフィルムはともかく、そのような磁気記録層を備えていない１３５フィルム等に対しては、色補正情報、サイズ情報、焼増し枚数等のリプリント情報の入力に関して一層の改良の余地があった。
【０００８】
本発明は、磁気記録層を備えていない１３５フィルム等のリプリント情報の入力の手間を軽減できる写真処理装置を提供する点にある。
【課題を解決するための手段】
【０００９】
上述の目的を達成するため、本発明による写真処理装置の特徴構成は、特許請求の範囲の書類の請求項１に記載した通り、光源部からフィルムに照射された光線束を光電変換して前記フィルムに担持された画像を入力する画像データ入力手段と、前記フィルムに照射された赤外波長域の光線束を光電変換して赤外線データを検出する赤外線検出部と、前記赤外線検出部により検出された赤外線の強度分布に基づいて前記フィルムの欠陥情報を検出する欠陥情報検出手段と、前記欠陥情報検出手段により検出された欠陥情報に基づいて前記画像データ入力手段により入力された画像データを補正する画像補正手段を備えてなるフィルム画像入力装置であって、前記欠陥情報検出手段に、フィルムに表記されたリプリント情報を検出するリプリント情報検出部を設けてある点にある。
【００１０】
上述の構成によれば、焼増し枚数、サイズ、露光補正データ等のリプリント情報をフィルムに表記しておけば、リプリント情報検出部により自動的に読み出されるので、オペレータによるリプリント情報入力の手間が省けるのである。
【００１１】
しかも、画像データ入力手段により読込まれたフィルム画像に、フィルムに表記されたリプリント情報が影響を与えて、本来のフィルム画像に何らかの欠陥が生じる場合であっても、欠陥情報検出手段によりそのような欠陥部位が検出され、画像補正手段により補正されるので、出力プリントの画質の低下が生じる虞も無いのである。
【００１２】
そのようなリプリント情報のうち、濃度補正データ等同時プリント時に確定するものは、同時プリント時にフィルムの該当コマに表記され、焼増し枚数やサイズ情報は、リプリント注文時にフィルムの該当コマに直接書き入れられる。
【００１３】
表記されるリプリント情報は、例えば、赤外線透過率が低い顔料性インクを使用して書き込まれることが好ましく、赤外線透過率が極めて高い染料性インクの使用は困難である。
【発明の効果】
【００１４】
以上説明した通り、本発明によれば、磁気記録層を備えていない１３５フィルム等のリプリント情報の入力の手間を軽減できる写真処理装置を提供することができるようになった。
【発明を実施するための最良の形態】
【００１５】
以下に本発明による写真処理装置の実施の形態を説明する。図１に示すように、フィルムに記録された画像データを光電的に読み取る画像入力部１０と、画像入力部１０による画像入力動作を制御する画像入力制御部２０と、画像入力部１０で読み取られた画像データを所定のアルゴリズムに従って画像処理して出力用の画像データを生成する画像処理部３０を備えたフィルム画像入力装置４０と、前記フィルム画像入力装置４０から出力される画像データに基づいて印画紙を走査露光して画像を記録し、露光済みの印画紙を現像処理して写真プリントを出力する画像出力装置５０とからデジタル方式の写真処理装置が構成される。
【００１６】
前記画像出力装置５０は、ロール状の印画紙Ｐが収容されたマガジン５２と、マガジン５２から印画紙Ｐを引き出し搬送経路に沿って搬送するアドバンスローラ５３や露光用搬送ローラ５４と、搬送経路に配置され、印画紙Ｐを所定サイズに切断するカッター５５と、搬送経路の露光位置に配置され、フィルム画像入力装置４０により読み取られ、所要の画像処理が施された画像データに基づいて印画紙Ｐに画素単位で画像を焼き付け露光するレーザ方式の露光エンジン５１と、露光後の印画紙Ｐを現像処理する現像部５６と、現像処理後の印画紙Ｐを乾燥処理する乾燥処理部５７と、上述した各機能ブロックを作動制御する制御部５８などを備えて構成される。
【００１７】
前記画像入力部１０について詳述すると、ハロゲンランプ１と、ハロゲンランプ１からの光線束を拡散するミラートンネル２と、拡散された光線束をフィルムＦの短幅方向のスリット光に絞るスリット３とからなる赤外波長域を含むフィルム画像読取用の光線束を照射する光源部１００と、スリット３からフィルムＦを通過した光線束を結像する結像レンズユニット４と、ダイクロイックプリズム５と、Ｒ（赤），Ｇ（緑），Ｂ（青）の画像成分毎にフィルム画像を読み取る３本の受光部を備えたリニアＣＣＤセンサ６ａと、リニアＣＣＤセンサ６ａの出力信号を増幅する増幅回路７ａと、増幅回路７ａの出力信号をサンプルホールドして量子化するＡ／Ｄコンバータ８ａを備えてなる画像データ入力手段１１０と、前記結像レンズユニット４と、ダイクロイックプリズム５と、ダイクロイックプリズム５により分光された赤外線を検出する赤外線用リニアＣＣＤセンサ６ｂと、赤外線用リニアＣＣＤセンサ６ｂの出力信号を増幅する増幅回路７ｂと、増幅回路７ｂの出力信号をサンプルホールドして量子化するＡ／Ｄコンバータ８ｂを備えてなる赤外線検出部１２０と、フィルムを自動搬送するフィルムキャリア９を備えて構成される。
【００１８】
前記フィルムキャリア９は、ＡＰＳや３５ｍｍの長尺状のネガフィルムＦを矢示の方向に搬送する上下一対の搬送ローラ９２、９３と、搬送ローラ９２、９３を駆動するパルスモータ９４と、フィルムＦを位置決めするネガマスク９１とを備えて構成される。
【００１９】
前記画像入力制御部２０は、光源１の点灯、消灯、点灯光量の制御、固体撮像素子６ａ，６ｂの駆動制御、増幅回路７ａ，７ｂのゲインやオフセット等の調整制御、フィルムキャリア９によるフィルムＦの搬送制御等を実行する制御用ＣＰＵとその実行プログラムを格納したＲＯＭや各種の制御データを格納するＲＡＭ等を備えてなり、複数の受光部がネガフィルムＦの幅方向に沿ってＲ，Ｇ，Ｂ夫々１列に配列されたフィルム画像読取用のリニアＣＣＤセンサ６ａ及びフィルム欠陥検出用の赤外線用リニアＣＣＤセンサ６ｂにより主走査方向の読み取りが行なわれ、その配列方向と直交する方向にフィルムＦが搬送されて副走査方向の読み取りが行なわれるように、フィルムキャリア９や光源１等を制御する。
【００２０】
前記画像処理部３０は、画像処理を行なうＣＰＵとその実行プログラムが格納されたＲＯＭと画像データ等を格納するＲＡＭ等を備えて構成され、図２に示すように、画像データ入力手段１１０のＡ／Ｄコンバータ８ａによりデジタルデータに変換されたＲ，Ｇ，Ｂの各フィルム画像データに対してシェーディング補正等を行なう入力画像処理部３１と、入力画像処理部３１で処理されたフィルム画像データを格納する画像メモリ３２と、赤外線検出部１２０のＡ／Ｄコンバータ８ｂによりデジタルデータに変換された赤外線データをシェーディング補正し、且つ、赤外線検出部１２０による入出力特性を線型に補正するルックアップテーブルを備えた赤外線強度補正手段３３と補正後の赤外線強度データを格納する赤外線データメモリ３４と、赤外線データメモリ３４に格納された赤外線の強度分布データに基づいてフィルムＦの欠陥情報を検出する欠陥情報検出手段３５と、欠陥情報検出手段３５により検出された欠陥情報に基づいて画像データ入力手段１１０により入力されたフィルム画像データを補正する欠陥画像補正手段３６と、欠陥画像補正手段３６により補正されたフィルム画像データに対して所要の画像処理を施す画像変換手段３７を備え、画像変換手段３７により変換処理された画像データが最終の出力画像データとして画像出力装置５０に出力される。
【００２１】
さらに前記画像処理部３０には、フィルム検定用の表示部と、プリント対象コマ、プリントサイズ、プリント枚数、色や濃度補正データ等のプリント条件を入力するキーボードを備えてあり、それらの入力条件に基づいて画像変換手段が最終出力画像に変換処理して画像出力装置５０に出力するように構成してある。
【００２２】
前記欠陥情報検出手段３５は、赤外線データメモリ３２に格納された赤外線画素データに対して順次所定の欠陥検出閾値と比較処理を行ない、前記閾値より低い値を示す赤外線画素を傷や塵による欠陥画素と判定し、前記閾値より高い値を示す赤外線画素を正常画素と判定するように構成される。当該欠陥情報検出手段３５には、さらにフィルムに表記されたリプリント情報を検出するリプリント情報検出部を設けてあり、欠陥画素と判定された画素領域で表される文字や記号を検出して文字や記号を認識するとともに、認識したリプリント情報を前記画像変換手段３７や画像出力装置５０に出力するように構成される。
【００２３】
以下、図３（ａ）に示すようなピースネガフィルムＦに対して焼増し注文がありリプリント処理する場合の上述した各処理ブロックにおける動作を、図４に示すフローチャートに基づいて説明する。同図に示すように、ピースネガフィルムＦには、コマ画像Ｆ１，Ｆ２，Ｆ３，Ｆ４が写っており、コマ画像Ｆ１を２枚、コマ画像Ｆ３を１枚焼増しすることを想定する。コマ画像Ｆ１，Ｆ３の右下部にはリプリント情報Ｉとしての焼増し枚数が顔料性インクを使用した油性のフェルトペンで記載されている。従って、図３（ｂ）に示すように、赤外線検出部１２０により検出された赤外線強度は、フィルムに表記されたリプリント情報Ｉに対応する部位が周囲のフィルム部位Ｆに比較して低くなり、同様に画像データ入力手段１１０により入力されたＲ（赤），Ｇ（緑），Ｂ（青）の各画像データの値も他の部位に比較して低くなる。
【００２４】
画像データ入力手段１１０からのＲ，Ｇ，Ｂの各フィルム画像データが入力画像処理部３１によりシェーディング補正されて画像メモリ３２に格納され（Ｓ１）、赤外線検出部１２０からの赤外線データが赤外線強度補正手段３３によりシェーディング補正された後に、赤外線用リニアＣＣＤセンサ６ｂの入力特性に基づく歪みを線型特性に補正するためのルックアップテーブルにより変換処理されて赤外線データメモリ３４に格納される（Ｓ２）。ここで、赤外線データメモリ３４に格納された赤外線データと画像メモリ３２に格納された画像データは、ともにフィルムの同一位置に対応付けて格納されている。
【００２５】
前記欠陥情報検出手段３５は、図３（ｂ）に示すように、赤外線データメモリ３４に格納され、フィルム画像の各位置に対応した赤外線画素データが欠陥検出閾値Ｖｔｈより低いか否かを判断して（Ｓ３）、欠陥検出閾値Ｖｔｈより低いと判断されたデータに対応するフィルムの位置に欠陥があると認識する（Ｓ４）。
【００２６】
該当するコマ画像の全ての赤外線画素データに対する判断が終了して、認識された欠陥領域の輪郭データ等に基づいて文字認識処理を行ない、認識された文字に対応するリプリント情報を生成する（Ｓ５）。本実施形態の場合、リプリント情報がコマ特定情報と焼増し枚数であるため、コマ画像Ｆ１，Ｆ２に対して夫々２枚、１枚のリプリント情報が画像変換手段３７に出力される。
【００２７】
前記画像補正手段３６は、画像メモリ３２に格納されたＲ（赤），Ｇ（緑），Ｂ（青）の各画像データに対して、欠陥情報検出手段３５により欠陥部位があると判断されたときに、その欠陥位置に対応する画像データを補正する（Ｓ６）。具体的には、例えば、Ｒ（赤），Ｇ（緑），Ｂ（青）の各画像データが欠陥により遮断されて欠落していない場合には、赤外線強度の正常部位に対する減少の程度に基づいてその部位のＲ（赤），Ｇ（緑），Ｂ（青）の画像データの強度を上げ、欠陥により完全に遮断されて欠落している場合には、周辺画素の値を用いて補間処理を行なうことにより、欠陥の影響を補正する。尚、補正処理の方法としては、他の種々の方法を用いることも可能である。
【００２８】
前記画像変換手段３７は、画像補正手段により欠陥部位の修復がなされた後に、表示部に表示された画像を目視したオペレータによりキーボードから入力されたプリントサイズ、濃度補正データ等のプリント条件に基づいてカラーバランスの調整処理、階調性の調整処理、縮小拡大処理等、プリント出力するために必要な画像変換処理を施して最終の出力画像データを得（Ｓ７）、必要なリプリント情報とともに出力画像データを画像出力装置に出力する（Ｓ８，Ｓ９）。
【００２９】
上述した実施形態では、リプリント情報のうちプリント枚数のみがフィルム上に表記され、リプリント対象コマと枚数が自動認識される例を示したが、フィルム上に表記されるリプリント情報は、プリントサイズ、プリント枚数、色や濃度補正データ、撮影日付等の各種のリプリント情報を表記することが可能で、特に同時プリント時にオペレータが設定した露光補正データ等をフィルム上に表記しておくことで同時プリント時と同様の仕上がりのリプリントが得られる。この場合、画像入力部に印字装置を設けることにより、露光補正データ等をフィルム上に自動印字可能となる。露光補正データとは、フィルム検定時に調整入力されるデータに対応し、濃度補正値、シアン補正値、マゼンタ補正値、イエロー補正値などが例えば−３から＋３の間の数値で設定され、これらをコード化したデータで印字されるものでもよい。
【００３０】
上述した実施形態では、特に説明していないが、フィルム検定用の低解像度のプレスキャンを行ない、適正な露光補正を行なった後に高解像度の本スキャンを行なう方式のフィルム画像入力装置である場合には、プレスキャン時にリプリント情報検出手段を作動させて露光補正データ等のリプリント情報を得、その情報によりフィルム検定を行ない、本スキャン時に欠陥画像補正手段を作動させて画像の修復を行なうように構成することや、プレスキャンを行なわずに本スキャン時にリプリント情報検出手段を作動させて露光補正データ等のリプリント情報を得るとともに欠陥画像補正手段を作動させて画像の修復を行なうように構成することも可能である。
【００３１】
さらに、リプリント情報検出手段によりリプリント情報が検出できない欠陥領域については、通常の傷や塵による欠陥と認識して欠陥修復されることはいうまでもない。
【００３２】
上述した実施形態では、フィルムに表記されたリプリント情報が顔料性インクを使用した油性のフェルトペンで記載されたものを説明したが、表記される塗材は顔料性インクに限定するものではなく、少なくとも赤外域の波長を減衰するものであり、且つ、Ｒ（赤），Ｇ（緑），Ｂ（青）の可視光領域が完全に遮光されることの無いものであれば使用できる。
【００３３】
上述した実施形態では、ハロゲンランプ１からの光線束のうちフィルムＦを透過した赤外波長成分をダイクロイックプリズム５を用いて分光して、赤外線用リニアＣＣＤセンサ６ｂにより検出するものを説明したが、本発明はこのような構成に対してのみ適用されるものではなく、フィルムＦを透過した光線束をＲ，Ｇ，Ｂ，ＩＲ（赤外線）の各透過フィルタを時分割に切替えて画像データ及び赤外線データを単一のエリアＣＣＤセンサにより読み取るように構成するものであってよい。
【００３４】
上述した実施形態は、いずれも本発明を具現化する一構成に過ぎず、該記載により本発明の範囲が限定されるものではない。
【図面の簡単な説明】
【００３５】
【図１】写真処理装置のブロック構成図
【図２】画像処理部のブロック構成図
【図３】写真処理方法の説明図であり、（ａ）はリプリント情報が表記されたピースネガフィルムの説明図であり、（ｂ）は検出された赤外線の出力特性の説明図
【図４】フローチャート
【符号の説明】
【００３６】
１：ハロゲンランプ
２：ミラートンネル
３：スリット３
４：結像レンズユニット
５：ダイクロイックプリズム
６ａ：カラーリニアＣＣＤセンサ
６ｂ：赤外線用リニアＣＣＤセンサ
７ａ，７ｂ：増幅回路
８ａ，８ｂ：Ａ／Ｄコンバータ
９：フィルムキャリア
１０：画像入力部
２０：画像入力制御部
３０：画像処理部
３１：入力画像処理部
３２：画像メモリ
３３：赤外線強度補正手段
３４：赤外線データメモリ
３５：欠陥情報検出手段（リプリント情報検出部）
３６：欠陥画像補正手段
３７：画像変換手段
１１０：画像データ入力手段
１２０：赤外線検出部
【図１】
2005079775.tif 000003
【図２】
2005079775.tif 000004
【図４】
2005079775.tif 000005
【図３】
2005079775.tif 000006